(57)【特許請求の範囲】
【請求項１】
手を挿入する挿入口と、挿入した手を乾燥する挿入口に接続して設けた乾燥室と、乾燥室に空気を送風する制御部と、前記乾燥室内に相対向して設けた複数のエアー噴出孔とを備え、吹き出す気流が渦巻噴流となるように前記各エアー噴出孔は内壁に螺旋形としたガイドを有し、複数の渦巻噴流が手の表面の水滴を押し流すとともに跳ね飛ばすようにした手乾燥装置。
【請求項２】
ガイドの螺旋形状は、手の甲に対するものと手のひらに対するものとが互いに反対方向に設定されている請求項１記載の手乾燥装置。
【請求項３】
ガイドの螺旋形状は隣りあったエアー噴出孔が互いに逆方向となっている請求項１記載の手乾燥装置。
【発明の詳細な説明】
【０００１】
【発明の属する技術分野】
本発明は、洗面所やトイレ・キッチン等で使用する、水で手を洗った後、手を乾かすために用いる手乾燥装置に関するものである。
【０００２】
【従来の技術】
従来使用している手乾燥装置は図８に示すような構成となっている。これは、電動送風機１が送風した空気をヒータ２によって加熱して温風とし、送風口３から送風するもので、タオルやハンカチ等で手を拭くという動作に代わるものである。このとき使用者は濡れた手（以下濡れ手と称する）を揉むなどして、手を速く乾燥させている。
【０００３】
【発明が解決しようとする課題】
前記従来の構成の手乾燥装置は、濡れ手の乾燥に相当の時間を必要とするものであり、使い勝手の悪いものとなっている。つまり乾燥に必要な時間が、ハンカチ等で拭う時間に比べて我慢できる限度を超える程に長くかかるものとなっている。この理由は、例えば電源の容量に限界があって送風量とヒータ容量をあまり大きくできないこと、また、ヒータから空気への伝熱効率が極めて悪いこと等である。
【０００４】
【課題を解決するための手段】
前記課題を解決するために本発明は、吹き出す気流が渦巻噴流となるように乾燥室内に設けたエアー噴出孔が内壁に螺旋形としたガイドを有して、電動送風機が送風する空気を渦巻噴流として、複数の渦巻噴流が手表面の水滴を押し流すとともに跳ね飛ばして素早く引き剥がして乾燥するものである。
【０００５】
【発明の実施の形態】
請求項１に記載した発明は、吹き出す気流が渦巻噴流となるように乾燥室内に対向して設けたエアー噴出孔が内壁に螺旋形としたガイドを有し、制御部が送風する空気を渦巻噴流として、複数の渦巻噴流が手の表面に付着した水滴を押し流すとともに跳ね飛ばして効率よく引き剥して乾燥する手乾燥装置としている。
【０００６】
請求項２に記載した発明は、ガイドの螺旋形状は、手の甲に対するものと手のひらに対するものとが互いに反対方向に設定した構成として、指先付近での噴流の速度を極めて小さくして、水滴の重力による落下を促して効率よく乾燥する手乾燥装置としている。
【０００７】
請求項３に記載した発明は、隣りあったエアー噴出孔のガイドの螺旋形状を互いに逆方向の設定として、手表面の水滴を二倍の力で移動させ、効率よく乾燥する手乾燥装置としている。
【０００８】
【実施例】
（実施例１）
以下、本発明の第１の実施例について説明する。図１は本実施例の手乾燥装置の構成を示す外観図である。本体４には、手を挿入する挿入口６と、挿入した手を乾燥する挿入口６に接続して設けた乾燥室５と、制御部１０とを設けている。制御部１０は、乾燥室５に空気を送風する電動送風機や、この電動送風機を制御するための制御部品等を含んでいる。乾燥室５の上部、つまり挿入口６付近には、電動送風機の送風空気を噴出する複数のエアー噴出孔８と複数のエアー噴出孔９を相対向して設けている。エアー噴出孔８は手のひら側に送風空気を噴出するものであり、エアー噴出孔９は手の甲側に送風空気を噴出するものである。
【０００９】
エアー噴出孔８・エアー噴出孔９は、図２に示すような構成となっている。つまり内壁１２が電動送風機の送風空気の送風経路１１を構成するガイド１３となっており、ガイド１３が螺旋型となっているものである。従ってエアー噴出孔８・エアー噴出孔９から噴出される送風気流１４は渦巻噴流となっている。
【００１０】
以下本実施例の動作について説明する。挿入口６に手を挿入すると、図示していないスイッチが自動的に入って機能部１０の電動送風機が動作を開始する。電動送風機によって発生した気流は、送風経路１１を通って相対向して設けたエアー噴出孔８および９から、乾燥室５に向けて高速で噴き出される。このとき、エアー噴出孔８および９から噴き出される送風気流は、ガイド１３が螺旋型となっているため渦巻噴流となっている。このため図３に示しているように、噴流１４は渦巻状態で濡れ手７に衝突する。この渦巻噴流は、手の表面１５に衝突するときにはほぼ平行となっており、手の表面１５に付着している水滴１６を引き剥すように作用するものである。つまり噴出孔８および９から噴出される渦巻噴流１４は、濡れ手７の表面１５に対して高速で衝突するため、水滴１６を跳ね飛ばすものである。またこの２つの渦巻噴流は、手表面１５で略平行となるため、水滴１６を押し流す効果を有している。これらの効果が複合されることによって、本実施例では短時間で手を乾燥することができるものである。
【００１１】
（実施例２）
続いて本発明の第２の実施例について説明する。図４は本実施例の構成を示している。本実施例では、乾燥室５に相対向して設けている複数のエアー噴出孔１７と複数のエアー噴出孔１８とは、夫々その内壁に螺旋状のガイド１９・２０を有している。このガイド１９・ガイド２０が有している螺旋の方向は、互いに反対方向となっている。
【００１２】
以下本実施例の動作について説明する。図５に示しているように、２つの高速の渦巻噴流２１・２２が濡れ手１５の表面に衝突する際には、ほぼ平行となっており表面に付着している水滴２１・２３を押し流すように作用する。また渦巻噴流２１・２２が、高速で濡れ手に衝突するため、水滴２１・２３を跳ね飛ばすものである。また特に本実施例では２つの渦巻噴流２１・２２が直接衝突する指先２４では、水滴２５に加わる風速は、渦巻噴流２１・２２が合成されたものとなりほぼ０となる。このため、水滴２５は重力だけによって下方に滴下するものである。つまり、使用者が乾燥の進行につれて乾燥室５内部から挿入口６の方向に手を抜いていくと、水滴が舞い上がったりせずに下方にスムースに滴下するものである。
【００１３】
以上のように本実施例においては、更に使い勝手の良い手乾燥装置を実現できるものである。
【００１４】
（実施例３）
続いて本発明の第３の実施例について説明する。図６は本実施例の構成を示している。本実施例では乾燥室５に設けている複数のエアー噴出孔は、隣り合ったエアー噴出孔２６・２７が有しているガイドの螺旋形状が互いに逆方向となっているものである。従ってエアー噴出孔２６・２７から噴出される渦巻噴流３０・３１は、渦巻方向が互いに逆方向となっている。
【００１５】
このため、図７に示しているように濡れ手７の表面に付着している水滴３３・３４には、エアー噴出孔２６・２７から噴出された渦巻流が同方向に衝突する。従って水滴３３・３４は、同方向の渦巻流を受けることになって倍のスピードで濡れ手７の表面から剥離される。勿論この場合、使用者は挿入した濡れ手７を若干左右に動かすようにすれば、一層この効果が明確になるものである。
【００１６】
【発明の効果】
請求項１に記載した発明は、手を挿入する挿入口と、挿入した手を乾燥する挿入口に接続して設けた乾燥室と、乾燥室に空気を送風する電動送風機と、前記乾燥室内に相対向して設けた複数のエアー噴出孔とを備え、吹き出す気流が渦巻噴流となるように前記各エアー噴出孔は内壁に螺旋形としたガイドを有した構成として、複数の渦巻噴流が手の表面に付着した水滴を押し流すとともに跳ね飛ばして効率よく引き剥して乾燥する手乾燥装置を実現するものである。
【００１７】
請求項２に記載した発明は、ガイドの螺旋形状を、手の甲に対するものと手のひらに対するものとを互いに反対方向に設定して、指先部分での流速を極めて小さくして、水滴の重力による落下を促して効率よく乾燥する手乾燥装置を実現するものである。
【００１８】
請求項３に記載した発明は、ガイドの螺旋形状は隣りあったエアー噴出孔が互いに逆方向となる構成として、渦の接触点にて隣り合う渦の流速方向が一致するためにその点での流速が二倍となり、水分をより強力に引き離して、手の乾燥速度を飛躍的に速くする手乾燥装置を実現するものである。
【図面の簡単な説明】
【図１】本発明の第１の実施例である手乾燥装置の構成を示す斜視図
【図２】同、噴出孔を示す要部断面図
【図３】同、手表面での動作を説明する説明図
【図４】本発明の第２の実施例である手乾燥装置の噴出孔を示す要部断面図
【図５】同、手表面での動作を説明する説明図
【図６】本発明の第３の実施例である手乾燥装置の噴出孔を示す要部断面図
【図７】同、手表面での動作を説明する説明図
【図８】従来の手乾燥装置を示す断面図
【符号の説明】
５  乾燥室
６  挿入口
８  エアー噴出孔
９  エアー噴出孔
１０  制御部
１２  内壁
１３  ガイド
１７  エアー噴出孔
１８  エアー噴出孔
１９  ガイド
２０  ガイド
２６  エアー噴出孔
２７  エアー噴出孔
２８  ガイド
２９  ガイド
【図１】
0003718900.tif 000002
【図２】
0003718900.tif 000003
【図３】
0003718900.tif 000004
【図４】
0003718900.tif 000005
【図５】
0003718900.tif 000006
【図６】
0003718900.tif 000007
【図７】
0003718900.tif 000008
【図８】
0003718900.tif 000009